(57)【要約】【課題】商品案内用シート全体の明るさを均一にすることができ、商品案内用シートを見栄えよく表示することができるオープンショーケースを提供すること。【解決手段】商品を陳列する商品陳列用空間部８の上部前端から前方に向けて延設されたキャノピー部２０を有するオープンショーケース１であって、キャノピー部２０の前縁部から所定間隔離間された後方に照明装置１５を配設し、キャノピー部２０の前縁部と照明装置１５との間の取付部２５に、商品案内用シート１６を着脱自在に保持するシートホルダ１７を取り付けた。【選択図】図２
2008279151.tif 000002
【特許請求の範囲】
【請求項１】
商品を陳列する商品陳列用空間部の上部前端から前方に向けて延設されたキャノピー部を有するオープンショーケースであって、
前記キャノピー部の前縁部から所定間隔離間された後方に照明装置を配設し、前記キャノピー部の前縁部と前記照明装置との間の取付部に、商品案内用シートを着脱自在に保持するシートホルダを取り付けたことを特徴とするオープンショーケース。
【請求項２】
前記キャノピー部の前縁部の下端と、前記シートホルダの下端と、前記照明装置の下端とを、側面視で後ろ上がりにほぼ同一直線上に配置したことを特徴とする請求項１に記載のオープンショーケース。
【請求項３】
前記シートホルダには、前記取付部に取り付けられる取付片が形成され、該取付片から垂下された垂直板に前記商品案内用シートが当接された状態で保持されることを特徴とする請求項１または２に記載のオープンショーケース。
【請求項４】
前記キャノピー部の前部外面には、後上方から前下方に向けて外方に湾曲する湾曲面を形成し、該湾曲面により前記シートホルダの前方が覆われるようにしたことを特徴とする請求項１ないし３のいずれかに記載のオープンショーケース。
【請求項５】
前記キャノピー部が、前記商品陳列用空間部を保冷するためのエアーカーテンを形成する冷気吹出口よりも前方側に配置されていることを特徴とする請求項１ないし４のいずれかに記載のオープンショーケース。
【発明の詳細な説明】
【技術分野】
【０００１】
本発明は、商品を陳列する商品陳列用空間部の上部前端から前方に向けて延設されたキャノピー部を有するオープンショーケースに関する。
【背景技術】
【０００２】
従来、販売店舗等に設置されて商品を陳列するショーケース等において、棚板が配置された商品陳列用空間部の上部前方に設けられたキャノピー部と呼ばれる庇の部分の前面側に、商品の説明や広告、または価格等を表示した紙状の商品案内用シートを、着脱自在に保持するシートホルダがある（例えば、特許文献１参照）。
【０００３】
【特許文献１】特開２００１−２２４４７０号公報（第３頁、第１図）
【発明の開示】
【発明が解決しようとする課題】
【０００４】
しかしながら、特許文献１に記載のショーケースにあっては、シートホルダに商品案内用シートを保持させた際に、商品案内用シートがキャノピー部の前面側に垂れ下がって配置されるため、商品陳列用空間部内に配置された陳列商品を照明するための照明装置の光が、商品案内用シートの背面側に照射された際に、キャノピー部によって前記光の一部が遮断され、前記光が遮断された商品案内用シートの上半分が暗くなるとともに、前記光が当る商品案内用シートの下半分が明るくなり、商品案内用シート全体の明るさが上下で異なってしまうため、商品案内用シートの見栄えが悪くなるという問題がある。
【０００５】
本発明は、このような問題点に着目してなされたもので、商品案内用シート全体の明るさを均一にすることができ、商品案内用シートを見栄えよく表示することができるオープンショーケースを提供することを目的とする。
【課題を解決するための手段】
【０００６】
前記課題を解決するために、本発明の請求項１に記載のオープンショーケースは、
商品を陳列する商品陳列用空間部の上部前端から前方に向けて延設されたキャノピー部を有するオープンショーケースであって、
前記キャノピー部の前縁部から所定間隔離間された後方に照明装置を配設し、前記キャノピー部の前縁部と前記照明装置との間の取付部に、商品案内用シートを着脱自在に保持するシートホルダを取り付けたことを特徴としている。
この特徴によれば、商品案内用シートの背面側に照明装置の光が当った際に、商品案内用シート全体の明るさを均一にすることができ、商品案内用シートを見栄えよく表示することができる。また、キャノピー部の前面側が商品案内用シートによって部分的に隠れないため、キャノピー部の左右方向の連続性が損なわれずオープンショーケースの見栄えも向上される。
【０００７】
本発明の請求項２に記載のオープンショーケースは、請求項１に記載のオープンショーケースであって、
前記キャノピー部の前縁部の下端と、前記シートホルダの下端と、前記照明装置の下端とを、側面視で後ろ上がりにほぼ同一直線上に配置したことを特徴としている。
この特徴によれば、キャノピー部によってシートホルダと照明装置とを客の視線に対して隠蔽して見栄えをよくした状態で、シートホルダに保持された商品案内用シート全体を客に見せることができ、かつ照明装置の光が客の目に入り込むことを防止することができる。
【０００８】
本発明の請求項３に記載のオープンショーケースは、請求項１または２に記載のオープンショーケースであって、
前記シートホルダには、前記取付部に取り付けられる取付片が形成され、該取付片から垂下された垂直板に前記商品案内用シートが当接された状態で保持されることを特徴としている。
この特徴によれば、商品案内用シートが垂直板から垂直方向に垂下された状態で保持されるようになり、オープンショーケースの正面側から商品案内用シートが見易くなる。
【０００９】
本発明の請求項４に記載のオープンショーケースは、請求項１ないし３のいずれかに記載のオープンショーケースであって、
前記キャノピー部の前部外面には、後上方から前下方に向けて外方に湾曲する湾曲面を形成し、該湾曲面により前記シートホルダの前方が覆われるようにしたことを特徴としている。
この特徴によれば、天井の空調設備等からオープンショーケースに向って吹く風が、湾曲面により速やかに下方に流れるようになり、シートホルダに保持された商品案内用シートが揺らめくことを防止することができる。
【００１０】
本発明の請求項５に記載のオープンショーケースは、請求項１ないし４のいずれかに記載のオープンショーケースであって、
前記キャノピー部が、前記商品陳列用空間部を保冷するためのエアーカーテンを形成する冷気吹出口よりも前方側に配置されていることを特徴としている。
この特徴によれば、キャノピー部のシートホルダに保持された商品案内用シートが冷気吹出口から吹き出すエアーカーテンによって揺らめいてしまうことを防止することができる。
【発明を実施するための最良の形態】
【００１１】
本発明に係るオープンショーケースを実施するための最良の形態を実施例に基づいて以下に説明する。
【実施例】
【００１２】
本発明の実施例を図面に基づいて説明すると、先ず図１は、実施例におけるオープンショーケースを示す縦断側面図であり、図２は、キャノピーを示す縦断側面図であり、図３は、シートホルダを示す一部破断斜視図であり、図４（ａ）は、表示シートを保持させる際のシートホルダを示す縦断側面図であり、図４（ｂ）は、表示シートを取り外す際のシートホルダを示す縦断側面図である。以下、図１、図２及び図４の紙面左側をオープンショーケースの正面側（前方側）として説明する。
【００１３】
図１の符号１は、主に商店やスーパーマーケット等の食品等を取り扱う販売店舗に設置され、商品を低温に保ったまま保冷、または冷凍した状態で陳列するために設置されるオープンショーケースである。本実施例においては、後述するキャノピー２０が客等の目線よりも高い位置になるように、オープンショーケース１の全高が１９００〜２０００ｍｍ程度に構成されている。
【００１４】
図１に示すように、オープンショーケース１には、正面側が開口された内箱３と、内箱３を囲繞するように設けられた外箱２とが設けられ、外箱２と内箱３との間に通風路４が形成されるとともに、内箱３内には、商品（図示略）を陳列する本実施例における商品陳列用空間部としての冷蔵室８が形成されている。また、通風路４内には、冷却装置５と送風機６が配置されている。
【００１５】
オープンショーケース１の下部には、通風路４内に空気を吸い込む空気吸込口９が形成されるとともに、オープンショーケース１の上部には、冷却装置５にて冷却された冷気が吹き出される冷気吹出口１０が形成されている。送風機６が稼動されることによって、冷却装置５により冷却された冷気が冷気吹出口１０から空気吸込口９に向けて吹き出され、ショーケース１の前方に内箱３の開口を覆う冷気のエアーカーテン１２が形成される。
【００１６】
このエアーカーテン１２の冷気の一部が冷蔵室８内に供給されることで、冷蔵室８内の温度を低温に保つことができ、冷蔵室８内の陳列棚７や底板１１に載置される商品（図示略）を冷蔵（冷凍）した状態で陳列できるようになっている。尚、冷蔵室８には、陳列棚７が上下方向に複数設置され、この陳列棚７の上面に商品が陳列されるとともに、冷蔵室８の底板１１にも商品が陳列されるようになっている。
【００１７】
また、冷気吹出口１０の後方位置には、冷蔵室８内を照明する蛍光灯１４が配設されるとともに、各陳列棚７の前端部下面には、直下の陳列棚７または底板１１に陳列される商品を照明する蛍光灯１３が設けられている。
【００１８】
オープンショーケース１の上部前端、すなわち外箱２の上部前端には、前方に向けて延設されたキャノピー２０が取り付けられている。このキャノピー２０は冷気吹出口１０よりも前方位置に設けられているとともに、キャノピー２０の下面２１には、冷蔵室８内全体を照明する照明装置１５が配設されている。また、キャノピー２０には、商品の説明や広告、または価格等を表示した紙状のシート体、すなわち本実施例における商品案内用シートとしての表示シート１６を着脱自在に保持するシートホルダ１７が設けられている。
【００１９】
図２示すように、キャノピー２０は、左右幅方向に延びるスチール金属等などの部材で構成されており、その内部が中空状の略箱型形状をなしている。また、キャノピー２０は、上部外面として上向きの水平面２２を有する水平部２０ａと、この水平部２０ａの前端から前下方に向けて外方に湾曲する本実施例における前部外面として湾曲面２３及び傾斜面２４を有する前垂れ部２０ｂと、から構成されている。尚、水平部２０ａが外箱２に対して固定されている。
【００２０】
このキャノピー２０について詳述すると、キャノピー２０の外面は、外箱２側から前方に向かって順に、水平面２２、湾曲面２３そして傾斜面２４が連続して形成されている。水平面２２は外箱２の上部前端から前方に延びる略平面形状であって、この水平面２２から連続してキャノピー２０外方に向けて凸状に緩やかに下降する緩曲面である湾曲面２３が形成される。
【００２１】
この湾曲面２３は、水平面２２から湾曲面２３の前端まで連続面を形成し、更にその下方側には、オープンショーケース１の冷蔵室８側に向かって後下方に延びる偏向した面を有する傾斜面２４が形成されている。尚、湾曲面２３及び傾斜面２４はシートホルダ１７の前方を覆うように形成されている。
【００２２】
キャノピー２０の内面（裏面）側について説明すると、キャノピー２０の下面２１には、蛍光灯ホルダ２７が取り付けられ、この蛍光灯ホルダ２７を介して、左右幅方向に延びて冷蔵室８内を照明するための蛍光灯２６が配設されている。この蛍光灯ホルダ２７と蛍光灯２６とにより前述した照明装置１５が構成されている。尚、この照明装置１５は、キャノピー２０の前縁部から所定間隔離間された後方位置に配置されている。
【００２３】
また、キャノピー２０の前縁部と照明装置１５との間におけるキャノピー２０の下面２１には、前方に向って下がるように傾斜された本実施例における取付部としての取付面２５が形成されている。この取付面２５には、シートホルダ１７がネジ２８によって取り付けられている。
【００２４】
図３に示すように、シートホルダ１７は、長手が左右方向を向き、その上部にキャノピー２０の取付面２５に取り付けられる傾斜された取付片２９が形成されている。取付片２９には、左右方向に並設された複数の孔部３０が形成され、この孔部３０にネジ２８が挿通されるようになっている。
【００２５】
また、シートホルダ１７には、取付片２９から下方に垂下された垂直板３１が設けられるとともに、垂直板３１から所定寸法離間して対向する保持板３２が設けられている。更に、保持板３２は下方にゆくに従い垂直板３１に近づくように傾斜されており、その下端には、垂直板３１に向って水平に突出したストッパ片３３が形成されている。
【００２６】
更に、シートホルダ１７には、垂直板３１と保持板３２とにより側面視で下方に向って次第に狭まり下部が開口した略コ字形状の空間部３４が形成され、この空間部３４内には、略丸棒形状の押え部材３５が配置されている。押え部材３５は、空間部３４内において上下方向に移動可能となっているとともに、垂直方向にも回動可能に収容されている（図４（ａ）及び図４（ｂ）参照）。
【００２７】
シートホルダ１７に表示シート１６を保持させる際には、先ず図４（ａ）に示すように、表示シート１６の上端縁が、シートホルダ１７の空間部３４内に挿入されると、押え部材３５が表示シート１６の上端縁によって上方に押し上げられる。表示シート１６は垂直板３１に当接された状態で上方に移動され、表示シート１６は押え部材３５と垂直板３１との間に入り込むようになっている。
【００２８】
そして、押え部材３５が自重により下方に移動されることで、表示シート１６は押え部材３５と垂直板３１とにより挟持されてその摩擦抵抗により保持される。表示シート１６は垂直板３１に当接された状態で保持されるため、表示シート１６がシートホルダ１７から垂直方向に垂下された状態で保持されるようになり、オープンショーケース１の正面側から表示シート１６が見易くなる。
【００２９】
シートホルダ１７から表示シート１６を取り外す際には、図４（ｂ）に示すように、表示シート１６を下方に引っ張ると、押え部材３５は、表示シート１６の下方への引き抜き作用により保持板３２の内壁に摺動されながら回転されるようになり、表示シート１６を容易に引き抜くことができる。尚、本実施例では特に図示はしないが、ストッパ片３３の先端を上方に向って延設させ、押え部材３５がストッパ片３３に当接できる構成とし、該ストッパ片３３により表示シート１６を取り外す際に押え部材３５が自重により所定位置から下方に移動しないように規制するようにしてもよい。
【００３０】
図２の一点鎖線αに示すように、キャノピー２０の前垂れ部２０ｂの下端と、シートホルダ１７の下端と、照明装置１５の下端とが、側面視で後ろ上がりにほぼ同一直線α上に配置されている。尚、直線αはオープンショーケース１の前に立つ客の視線αを想定した仮想線である。
【００３１】
このようにすると、キャノピー２０の前垂れ部２０ｂによってシートホルダ１７と照明装置１５とを客の視線αに対して隠蔽して見栄えをよくした状態で、シートホルダ１７に保持された表示シート１６全体を客に見せることができ、かつ照明装置１５の光が直接的に客の目に入り込むことを防止（遮光）することができ、オープンショーケース１に対面する客等の眩しさが軽減される。
【００３２】
本実施例のオープンショーケース１では、表示シート１６の背面側に照明装置１５の光が当った際に、表示シート１６全体の明るさを均一にすることができ、表示シート１６を見栄えよく表示することができる。また、キャノピー２０の前面側の湾曲面２３及び傾斜面２４が表示シート１６によって部分的に隠れないため、キャノピー２０の左右方向の連続性が損なわれずオープンショーケース１の見栄えも向上される。
【００３３】
また、キャノピー２０の前部外面に湾曲面２３が形成され、この湾曲面２３によりシートホルダ１７の前方が覆われているため、天井の空調設備（図示略）等からオープンショーケース１に向って吹く風が、湾曲面２３により速やかにキャノピー２０の下方に流れるようになり、シートホルダ１７に保持された表示シート１６が揺らめくことを防止することができる。
【００３４】
また、キャノピー２０が、エアーカーテン１２を吹き出す冷気吹出口１０よりも前方側に配置されていることで、キャノピー２０のシートホルダ１７に保持された表示シート１６が冷気吹出口１０から吹き出すエアーカーテン１２によって揺らめいてしまうことを防止することができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、本実施例の照明装置１５を、商品を低温に保ったまま保冷、または冷凍した状態で陳列するためオープンショーケース１に適用した例で説明したが、本発明はこれに限定されることなく、商品を保冷、または冷凍を行わずに、商品を室温の状態で陳列するための一般的なショーケース（商品陳列棚）にも適用可能である。
【００３７】
また、本発明のオープンショーケース１は、全高が１９００〜２０００ｍｍ程度のオープンショーケースに限られず、それ以外のサイズのショーケースであってもよく、スーパーマーケット、コンビニエンスストア、またはデパート等の食品売り場において、例えば冷凍食品や生鮮食料等を陳列するために用いられるオープンショーケースは全て含まれる。
【図面の簡単な説明】
【００３８】
【図１】実施例におけるオープンショーケースを示す縦断側面図である。
【図２】キャノピーを示す縦断側面図である。
【図３】シートホルダを示す一部破断斜視図である。
【図４】（ａ）は、表示シートを保持させる際のシートホルダを示す縦断側面図であり、（ｂ）は、表示シートを取り外す際のシートホルダを示す縦断側面図である。
【符号の説明】
【００３９】
１                オープンショーケース
８                冷蔵室（商品陳列用空間部）
１０              冷気吹出口
１２              エアーカーテン
１５              照明装置
１６              表示シート（商品案内用シート）
１７              シートホルダ
２０              キャノピー（キャノピー部）
２１              下面
２３              湾曲面
２５              取付面（取付部）
２９              取付片
３０              孔部
３１              垂直板
３２              保持板
３３              ストッパ片
３４              空間部
３５              押え部材
【図１】
2008279151.tif 000003
【図２】
2008279151.tif 000004
【図３】
2008279151.tif 000005
【図４】
2008279151.tif 000006